(57)【要約】【課題】記録単位ブロックのラン−イン領域とラン−アウト領域のうち少なくとも一つにテストパターンを記録し、レーザーダイオードの特性を検出することで、他のデータに影響を及ぼすことなく、レーザーダイオードを安定的に制御する光ディスクドライブ及びその制御方法を提供する。【解決手段】一定の大きさを有するデータ領域を含む記録単位ブロックの先端と後端のうち少なくとも一つにテストパターンを記録し、前記記録されたテストパターンを用いてレーザーダイオードの入出力特性を検出し、前記検出された入出力特性に基づいて前記レーザーダイオードが目的とする出力を発生させるように前記レーザーダイオードを制御することを特徴とする光ディスクドライブの制御方法を構成する。【選択図】図５
2009266357.tif 000002
【特許請求の範囲】
【請求項１】
一定の大きさを有するデータ領域を含む記録単位ブロックの先端と後端のうち少なくとも一つにテストパターンを記録し、
前記記録されたテストパターンを用いてレーザーダイオードの入出力特性を検出し、
前記検出された入出力特性に基づいて前記レーザーダイオードが目的とする出力を発生させるように前記レーザーダイオードを制御することを特徴とする光ディスクドライブの制御方法。
【請求項２】
前記テストパターンの記録は、
前記記録単位ブロックの先端に設けられるラン−イン領域と前記記録単位ブロックの終端に設けられるラン−アウト領域のうち少なくとも一つに対して行うことを特徴とする請求項１に記載の光ディスクドライブの制御方法。
【請求項３】
前記テストパターンは、
前記ラン−イン領域に割り当てられるガード１領域と前記ラン−アウト領域に割り当てられるガード３領域のうち何れか一つに記録されることを特徴とする請求項２に記載の光ディスクドライブの制御方法。
【請求項４】
前記ガード１領域は、
前記テストパターンが記録されるＡＰＣ領域と、
前記記録単位ブロックの先頭を識別するために一定のビット数を有する同一のパターンが反復的に記録される反復ビットパターン領域と、を含むことを特徴とする請求項３に記載の光ディスクドライブの制御方法。
【請求項５】
前記ガード３領域は、
前記テストパターンを記録するためのＡＰＣ領域と、
一つの記録単位ブロックのデータ記録が完了した後、他の記録単位ブロックに不連続的なデータが記録されるときに前記二つの記録単位ブロックの各データが互いに重畳されないように、一定のビット数を有する同一のパターンが反復的に記録される反復ビットパターン領域と、を含むことを特徴とする請求項３に記載の光ディスクドライブの制御方法。
【請求項６】
前記テストパターンを記録するためのＡＰＣライトストラテジを発生させることをさらに含み、
前記ＡＰＣライトストラテジを用いて前記記録単位ブロックの先端と後端のうち何れか一つに前記テストパターンを記録することを特徴とする請求項１に記載の光ディスクドライブの制御方法。
【請求項７】
前記ＡＰＣライトストラテジを予め保存することをさらに含み、
前記テストパターンの記録時に、保存されている前記ＡＰＣライトストラテジを読み出し、前記ＡＰＣライトストラテジを、前記テストパターンを記録するために使用することを特徴とする請求項６に記載の光ディスクドライブの制御方法。
【請求項８】
前記テストパターンを記録するためのライトストラテジは、前記レーザーダイオードの全てのパワーレベルを使用可能にすることを特徴とする請求項１に記載の光ディスクドライブの制御方法。
【請求項９】
前記テストパターンを記録するためのライトストラテジは、前記テストパターンを記録するとき、隣接したトラックのデータが消去されないように、前記レーザーダイオードのパワーレベルを制御することを特徴とする請求項１に記載の光ディスクドライブの制御方法。
【請求項１０】
光ディスクの記録面に光を照射するための発光部と、前記発光部から照射される光を検出するための受光部とを備えるピックアップモジュールと、
一定の大きさを有するデータ領域を含む記録単位ブロックの先端と後端のうち少なくとも一つにテストパターンを記録し、前記記録されたテストパターンを通してレーザーダイオードの入出力特性を検出し、前記検出された入出力特性に基づいて前記レーザーダイオードが目的とする出力を発生させるように前記レーザーダイオードを制御する制御部と、を含むことを特徴とする光ディスクドライブ。
【請求項１１】
前記テストパターンを記録するためのＡＰＣライトストラテジを保存するメモリをさらに含み、
前記制御部は、前記保存されたＡＰＣライトストラテジを読み出し、前記テストパターンを記録することを特徴とする請求項１０に記載の光ディスクドライブ。
【請求項１２】
前記テストパターンを記録するためのライトストラテジは、前記レーザーダイオードの全てのパワーレベルを使用可能にすることを特徴とする請求項１０に記載の光ディスクドライブ。
【請求項１３】
データ領域以外の一定の大きさを有する記録単位ブロックの領域にレーザー制御情報を記録し、
前記記録されたレーザー制御情報を用いてレーザーダイオードの入出力特性を検出し、
前記検出された入出力特性に基づいてレーザーダイオードが目的とするレーザー出力を発生させるように制御することを特徴とする光ディスクドライブの制御方法。
【請求項１４】
前記データ領域以外の記録単位ブロックの領域は、先端領域及び後端領域のうち少なくとも一つを含むことを特徴とする請求項１３に記載の光ディスクドライブの制御方法。
【請求項１５】
前記レーザーダイオードの入力特性は、駆動電流のレベルを示し、前記レーザーダイオードの出力特性は、出力レーザービームのパワーレベルを示すことを特徴とする請求項１３に記載の光ディスクドライブの制御方法。
【請求項１６】
光ディスクの記録面に光を照射するための発光部と、前記発光部から照射される光を検出するための受光部とを備えるピックアップモジュールと、
データ領域以外の一定の大きさを有する記録単位ブロックの領域にレーザー制御情報を記録し、前記レーザー制御情報を通してレーザーダイオードの入出力特性を検出し、前記検出された入出力特性に基づいて前記レーザーダイオードが目的とする出力を発生させるように前記レーザーダイオードを制御する制御部と、を含むことを特徴とする光ディスクドライブ。
【請求項１７】
光ディスクドライブの制御方法を含むコンピュータ可読保存媒体において、
一定の大きさを有するデータ領域を含む記録単位ブロックの先端と後端のうち少なくとも一つにテストパターンを記録し、
前記記録されたテストパターンを用いてレーザーダイオードの入出力特性を検出し、
前記検出された入出力特性に基づいて前記レーザーダイオードが目的とする出力を発生させるように前記レーザーダイオードを制御することを特徴とするコンピュータ可読保存媒体。
【発明の詳細な説明】
【技術分野】
【０００１】
本発明は、ＡＰＣ（Ａｕｔｏｍａｔｉｃ  Ｐｏｗｅｒ  Ｃｏｎｔｒｏｌ）ループ制御技術に関するもので、特に、温度変化による光パワー誤差を最小化できる光ディスクドライブ及びその制御方法に関するものである。
【背景技術】
【０００２】
光ディスクドライブは、記録光のパワーと再生光のパワーを常に一定に維持させるＡＰＣ回路を備えている。光ディスクドライブのＡＰＣ回路は、データの記録または再生の間にレーザーダイオードから出力される光量を検出し、その検出結果に基づいてレーザーダイオードの駆動電流のレベルを調節することで、レーザーダイオードから出力されるレーザービームの記録パワーまたは再生パワーが目的とするレベルを有するように制御する。
【０００３】
温度が上昇すると、電流によって駆動するレーザーダイオードの特性が劣化し、レーザー発生効率が低下する。この問題点を解決するために、ＡＰＣアルゴリズムを用いる。すなわち、ピックアップモジュールのレーザーダイオードから照射されるレーザービームの光量を検出し、レーザービームの光量が目標値以下になった場合には、レーザーダイオードの駆動電流を増加させ、レーザービームの光量が目標値を超える場合には、駆動電流を減少させることで、持続的に一定のパワーを発生させる。
【発明の開示】
【発明が解決しようとする課題】
【０００４】
従来の光ディスクドライブにおいて、温度が上昇すると、レーザーダイオードの光発生効率のみならず、フォトダイオードの検出効率も変化するので、レーザーダイオードの出力を一定に維持することが容易でない。
【０００５】
特に、高速でデータを記録／再生する間には、記録／再生パワーの安定的な制御が非常に難しく、温度変化によって生じるレーザーダイオードの特性変化による記録感度の劣化が増加する。
【０００６】
本発明に係る光ディスクドライブ及びその制御方法の目的は、記録単位ブロックのラン−イン領域とラン−アウト領域のうち少なくとも一つにテストパターンを記録し、レーザーダイオードの特性を検出することで、他のデータに影響を及ぼすことなく、レーザーダイオードを安定的に制御することにある。
【課題を解決するための手段】
【０００７】
上述した目的を達成するために、本発明に係る光ディスクドライブの制御方法は、一定の大きさを有するデータ領域を含む記録単位ブロックの先端と後端のうち少なくとも一つにテストパターンを記録し、記録されたテストパターンを用いてレーザーダイオードの入出力特性を検出し、検出された入出力特性に基づいて前記レーザーダイオードが目的とする出力を発生させるようにレーザーダイオードを制御する。
【０００８】
また、上述したテストパターンの記録は、記録単位ブロックの先端に設けられるラン−イン領域と記録単位ブロックの終端に設けられるラン−アウト領域のうち少なくとも一つに対して行う。
【０００９】
また、上述したテストパターンは、ラン−イン領域に割り当てられるガード１領域とラン−アウト領域に割り当てられるガード３領域のうち何れか一つに記録される。
【００１０】
また、上述したガード１領域は、テストパターンが記録されるＡＰＣ領域と、記録単位ブロックの先頭を識別するために、一定のビット数を有する同一のパターンが反復的に記録される反復ビットパターン領域とを含む。
【００１１】
また、上述したガード３領域は、テストパターンを記録するためのＡＰＣ領域と、一つの記録単位ブロックのデータ記録が完了した後、他の記録単位ブロックに不連続的なデータが記録されるときに二つの記録単位ブロックの各データが互いに重畳されないように、一定のビット数を有する同一のパターンが反復的に記録される反復ビットパターン領域とを含む。
【００１２】
また、上述したテストパターンを記録するためのＡＰＣライトストラテジを発生させることをさらに含み、ＡＰＣライトストラテジを用いて記録単位ブロックの先端と後端のうち何れか一つにテストパターンを記録する。
【００１３】
また、上述したＡＰＣライトストラテジを予め保存することをさらに含み、テストパターンの記録時に、保存されているＡＰＣライトストラテジを読み出し、ＡＰＣライトストラテジを、テストパターンを記録するために使用する。
【００１４】
また、上述したテストパターンを記録するためのライトストラテジは、レーザーダイオードの全てのパワーレベルを使用可能にする。
【００１５】
また、上述したテストパターンを記録するためのライトストラテジは、テストパターンを記録するとき、隣接したトラックのデータが消去されないようにレーザーダイオードのパワーレベルを制御する。
【００１６】
上述した目的を達成するために、本発明に係る光ディスクドライブは、光ディスクの記録面に光を照射するための発光部と、発光部から照射される光を検出するための受光部とを備えるピックアップモジュールと、一定の大きさを有するデータ領域を含む記録単位ブロックの先端と後端のうち少なくとも一つにテストパターンを記録し、記録されたテストパターンを通してレーザーダイオードの入出力特性を検出し、検出された入出力特性に基づいてレーザーダイオードが目的とする出力を発生させるようにレーザーダイオードを制御する制御部と、を含む。
【００１７】
また、上述したテストパターンを記録するためのＡＰＣライトストラテジを保存するメモリをさらに含み、制御部は、保存されたＡＰＣライトストラテジを読み出し、テストパターンを記録する。
【００１８】
また、上述したテストパターンを記録するためのライトストラテジは、レーザーダイオードの全てのパワーレベルを使用可能にする。
【００１９】
上述した目的を達成するために、本発明に係る光ディスクドライブの制御方法は、データ領域以外の一定の大きさを有する記録単位ブロックの領域にレーザー制御情報を記録し、記録されたレーザー制御情報を用いてレーザーダイオードの入出力特性を検出し、検出された入出力特性に基づいてレーザーダイオードが目的とするレーザー出力を発生させるように制御する。
【００２０】
また、データ領域以外の記録単位ブロックの領域は、先端領域及び後端領域のうち少なくとも一つを含む。
【００２１】
また、レーザーダイオードの入力特性は、駆動電流のレベルを示し、レーザーダイオードの出力特性は、出力レーザービームのパワーレベルを示す。
【００２２】
上述した目的を達成するために、本発明に係る光ディスクドライブは、光ディスクの記録面に光を照射するための発光部と、発光部から照射される光を検出するための受光部とを備えるピックアップモジュールと、データ領域以外の一定の大きさを有する記録単位ブロックの領域にレーザー制御情報を記録し、レーザー制御情報を通してレーザーダイオードの入出力特性を検出し、検出された入出力特性に基づいてレーザーダイオードが目的とする出力を発生させるようにレーザーダイオードを制御する制御部とを含む。
【００２３】
上述した目的を達成するために、本発明に係るコンピュータ可読保存媒体は、光ディスクドライブの制御方法を含むコンピュータ可読保存媒体において、一定の大きさを有するデータ領域を含む記録単位ブロックの先端と後端のうち少なくとも一つにテストパターンを記録し、記録されたテストパターンを用いてレーザーダイオードの入出力特性を検出し、検出された入出力特性に基づいてレーザーダイオードが目的とする出力を発生させるようにレーザーダイオードを制御する。
【発明の効果】
【００２４】
本発明に係る光ディスクドライブ及びその制御方法は、記録単位ブロックのラン−イン領域とラン−アウト領域のうち少なくとも一つにテストパターンを記録し、レーザーダイオードの特性を検出することで、他のデータに影響を及ぼすことなく、レーザーダイオードを安定的に制御できるという効果を有する。
【００２５】
特に、本発明は、ブルーレイディスク（Ｂｌｕ−Ｒａｙ  Ｄｉｓｃ：ＢＤ）などの高密度光ディスクに高速でデータを記録するとき、短いパルス幅によって生じるＦＰＤＯ信号レベルの減少による影響を減少させ、ＦＰＤＯ信号を安定的に検出できるという効果を有する。
【発明を実施するための最良の形態】
【００２６】
以下、本発明の好適な実施例を図１乃至図５に基づいて説明する。
【００２７】
図１は、本発明の一実施例に係る光ディスクドライブを示したブロック図である。図１において、参照番号１０２は、光ディスクドライブを示している。バッファ１２２、ＡＴＡＰＩ１２４及びＭＰＥＧ  ＣＯＤＥＣ１２６は、光ディスクドライブ１０２に連結される他の機器（例えば、ＢＤプレーヤーやコンピュータなど）の構成要素である。必要であれば、バッファ１２２、ＡＴＡＰＩ１２４及びＭＰＥＧ  ＣＯＤＥＣ１２６を光ディスクドライブ１０２内に統合構成することも可能である。
【００２８】
図１に示すように、光ディスク１００は、スピンドルモーター１１０の駆動によって回転する。スピンドルモーター１１０は、制御部１１８で発生する駆動信号によって制御され、光ディスク１００を回転させる。
【００２９】
ピックアップモジュール１５８には、発光部であるレーザーダイオードが備わり、このレーザーダイオードを通して記録パワーを有するレーザービーム１５６を発生させ、このレーザービーム１５６を光ディスク１００の記録面に照射することで、光ディスク１００にデータを記録する。データの再生と消去時には、再生パワーと消去パワーがそれぞれ使用される。
【００３０】
光ディスク１００にデータを記録するとき、記録データは、エンコーダー１２８によってＮＲＺＩ（Ｎｏｎ−Ｒｅｔｕｒｎ  ｔｏ  Ｚｅｒｏ  Ｉｎｖｅｒｔｅｄ）フォーマットにエンコーディングされた後、このエンコーディングされたデータがレーザーダイオード駆動部１１４に提供される。制御部１１８は、エンコーディングされたデータを光ディスク１００のデータ記録面に記録させるための駆動信号をレーザーダイオード駆動部１１４に提供し、レーザーダイオードの記録パワーを変化させる。
【００３１】
光ディスク１００に記録されているデータを再生するとき、制御部１１８は、再生パワーを有するレーザービーム１５６を発生させるようにピックアップモジュール１５８のレーザーダイオードを制御し、このレーザービームを光ディスク１００のデータ記録面に照射させる。光ディスク１００に照射されたレーザービーム１５６は、データ記録面から反射された後、ピックアップモジュール１５８の受光部（例えば、フォトダイオード）によって受光される。受光部は、受光した光の量に対応するＲＦ信号を発生させる。ＲＦ増幅器１０４は、このＲＦ信号を受信した後、これを２進信号に変換する。ＲＦ増幅器１０４によって変換された２進信号は、信号処理部１０６によってデジタルデータに復元される。復元されたデジタルデータは、暗号化された状態であるので、デコーダー１０８によってデコーディングされる。線速度検出部１１２は、回転する光ディスク１００の線速度を検出し、この線速度を制御部１１８に提供する。
【００３２】
ＲＦ増幅器１０４は、受信されたＲＦ信号からトラッキングエラー（ＴＥ）信号とフォーカスエラー（ＦＥ）信号を抽出し、これをサーボ制御部１１６に提供する。サーボ制御部１１６は、このＦＥ信号に基づいてフォーカス駆動（ＦＯＤ）信号を発生させ、ピックアップモジュール１５８のフォーカスサーボ制御を行う。また、サーボ制御部１１６は、ＴＥ信号に基づいてトラッキング駆動（ＴＲＤ）信号を発生させ、ピックアップモジュール１５８のトラッキング制御を行う。
【００３３】
ＡＰＣ部（Ａｕｔｏｍａｔｉｃ  Ｐｏｗｅｒ  Ｃｏｎｔｒｏｌ  Ｕｎｉｔ）１６０は、ピックアップモジュール１５８のレーザーダイオードによって照射されるレーザービームの光量を検出し、この検出されたレーザービームの光量情報をレーザーダイオード駆動部１１４に提供する。レーザーダイオード駆動部１１４は、この情報に基づいてレーザーダイオードの記録／再生／消去パワーを調節する。
【００３４】
図１において、制御部１１８は、光ディスクドライブ１０２の全般的な動作を制御する。光ディスクドライブ１０２の全般的な動作を制御するために必要な情報または制御過程で発生するデータが保存される外部メモリ１２０は、制御部１１８に連結される。この外部メモリ１２０には、本発明の実施例によってＡＰＣ領域にテストパターンを記録するときに使用されるＡＰＣライトストラテジ（ＡＰＣ  Ｗｒｉｔｅ  Ｓｔｒａｔｅｇｙ）が保存される。制御部１１８に内蔵メモリが設けられるか、ＡＰＣ部１６０に内蔵メモリが設けられる場合には、本発明に係るＡＰＣライトストラテジを制御部１１８またはＡＰＣ部１６０の内蔵メモリに保存しても良い。
【００３５】
図２は、図１に示した光ディスクドライブ１０２のＡＰＣ部１６０を示したブロック図である。図２に示すように、ＡＰＣ部１６０は、サンプル／ホールド制御部２０２、アナログ回路部２０４ａ〜２１０ａ及びアナログ−デジタル変換器（ＡＤＣ）２１２を含んで構成される。
【００３６】
図２のピックアップモジュール１５８では、光学系統及びサーボ系統を省略しており、レーザービーム１５６を発生させるレーザーダイオード２１８と、このレーザーダイオード２１８から出力されるレーザービーム１５６のレベルを検出するフォトダイオード２１６と、このフォトダイオード２１６の検出信号を増幅してＦＰＤＯ（ｐｈｏｔｏ  ｄｉｏｄｅ  ｏｕｔｐｕｔ）信号を出力するＰＤ増幅器２１４とを示した。
【００３７】
ＡＰＣ部１６０のサンプル／ホールド制御部２０２は、エンコーダー１２８から出力されるＮＲＺＩフォーマットのデータを受信し、このデータに基づいてアナログ回路部２０４ａ〜２１０ａのサンプル／ホールド動作を制御する。アナログ回路部２０４ａ〜２１０ａは、ピックアップモジュール１５８から出力されるＦＰＤＯ信号のピークパワーレベル、二つの中間パワーレベル及びボトムパワーレベルをそれぞれ検出する。すなわち、ピークパワー検出部２０４ａは、ＦＰＤＯ信号のピークパワーレベルを検出し、ボトムパワー検出部２１０ａは、ＦＰＤＯ信号のボトムパワーレベルを検出し、二つのサンプル／ホールド部２０６ａ，２０８ａは、ＦＰＤＯ信号の中間パワーレベルを検出する。低域通過フィルター（ＬＰＦ）２０４ｂ，２０６ｂ，２０８ｂ，２１０ｂは、ピークパワー検出部２０４ａ、ボトムパワー検出部２１０ａ及び二つのサンプル／ホールド部２０６ａ，２０８ａの出力側にそれぞれ設けられ、ノイズの影響を最小化する。
【００３８】
アナログ−デジタル変換器（ＡＤＣ）２１２は、ピークパワー検出部２０４ａ、ボトムパワー検出部２１０ａ及び二つのサンプル／ホールド部２０６ａ，２０８ａからそれぞれ出力されるアナログ信号をデジタル信号に変換し、このデジタル信号を制御部１１８に提供する。
【００３９】
制御部１１８は、ＡＰＣ部１６０によって検出されるＦＰＤＯ信号のレベルを目標値と比較し、その比較結果によってレーザーダイオード駆動部１１４がレーザーダイオード２１８の駆動電流のレベルを制御することで、レーザービーム１５６の強さを制御する。ここで、目標値は、光ディスク１００に記録されるデータを正確に記録するために必要なレーザーダイオード２１８の駆動電流のレベルを示している。
【００４０】
図３は、パラメーターとして温度を用いるレーザーダイオードの駆動電流と光出力との間の関係を示した図である。レーザーダイオードの光出力は、温度変化によって大きく影響を受ける。このために、光ディスクドライブは、レーザーダイオードの光出力をフォトダイオードを用いて検出し、この光出力が常に目的とするレベルになるようにレーザーダイオードの駆動電流を制御する。
【００４１】
図３に示すように、レーザーダイオードの目的とする出力（Ｐ）を得るために、温度がＴ１からＴ３に上昇するにつれて、駆動電流がＩ１からＩ３に増加する。すなわち、温度変動にもかかわらず、固定された駆動電流を供給すると、レーザーダイオードの目的とする光出力（Ｐ）を得ることができない。
【００４２】
図４は、光ディスクの高速記録時におけるライトストラテジ及びそのライトストラテジに対応する光検出信号を示した図である。図４に示すように、多重パルスライトストラテジ光ディスクに使用されるライトストラテジ４００は、ピークパワーレベル４０２、消去パワーレベル４０４及びボトムパワーレベル４０６を含む三つのパワーレベルを有する。図２に示したＰＤ増幅器２１４が帯域通過周波数を有するので、フォトダイオード２１６によって検出されるＦＰＤＯ信号の振幅は、ライトストラテジ４００のレベルとデューティ比によって影響を受ける。すなわち、ライトストラテジ４００のレベルが非常に低いか、ライトストラテジ４００のデューティ比が非常に小さい場合、ＦＰＤＯ信号の振幅も非常に小さい。
【００４３】
図４において、ライトストラテジ４００のデューティ比が小さいので、ＦＰＤＯ信号の振幅も非常に小さい。そのため、ＦＰＤＯ信号のレベルがピーク検出値４０８とボトム検出値４１０に達していないことが分かる。この場合、ＡＰＣ部１６０がＦＰＤＯ信号のレベルを検出できないので、レーザーダイオード２１８の出力パワーのレベルを検出することができない。したがって、レーザーダイオード２１８の出力パワーを目的とするレベルに制御することができない。
【００４４】
また、ＦＰＤＯ信号に含まれたノイズ４１２が大きい場合、ＡＰＣ部１６０のピークパワー検出部２０４ａとボトムパワー検出部２１０ａがＦＰＤＯ信号のピークパワーレベルとボトムパワーレベルを正確に検出できないので、レーザーダイオード２１８の出力パワーのレベルを検出することができない。したがって、レーザーダイオード２１８の出力パワーを目的とするレベルに制御することができない。
【００４５】
本発明の一実施例では、光ディスクにＡＰＣ領域を設け、このＡＰＣ領域に充分な長さを有するライトストラテジを使用して任意のデータを記録しながら、ＦＰＤＯ信号のピークパワーレベル、ボトムパワーレベル及び消去パワーレベルを検出する。
【００４６】
図５は、本発明の一実施例に係るデータ記録構造を示した図である。図５に示すように、データは、予め設定された大きさを有する記録単位ブロック（Ｒｅｃｏｒｄｉｎｇ  Ｕｎｉｔ  Ｂｌｏｃｋ：ＲＵＢ）単位で記録される。
【００４７】
第１記録単位ブロック（ＲＵＢ１）は、ラン−イン領域（ＲＵＮ−ＩＮ）、データ領域及びラン−アウト領域（ＲＵＮ−ＯＵＴ）を含んで構成される。ラン−イン領域（ＲＵＮ−ＩＮ）は、ガード１領域（Ｇ１）及びプリアンブル（ＰｒＡ）を含んで構成される。また、ガード１領域（Ｇ１）は、反復ビットパターン領域とＡＰＣ領域に区分される。反復ビットパターン領域には、記録単位ブロック（ＲＵＢ１）の先頭を識別するために一定のビット数を有する同一のパターンが一定の回数だけ反復される。ＡＰＣ領域は、本発明の一実施例によってＦＰＤＯ信号の特性を検出するためのテストパターンを記録する領域である。ラン−アウト領域（ＲＵＮ−ＯＵＴ）は、ポストアンブル（ＰｏＡ）、ガード２領域（Ｇ２）及びガード３領域（Ｇ３）を含んで構成される。ガード２領域（Ｇ２）には、第１記録単位ブロック（ＲＵＢ１）の終端を識別するために一定のビット数を有する同一のパターンが一定の回数だけ反復される。
【００４８】
第１記録単位ブロック（ＲＵＢ１）の終端には、参照符号５０２で示されたガード３領域（Ｇ３）が割り当てられる。また、ガード３領域（Ｇ３）は、反復ビットパターン領域とＡＰＣ領域に区分される。反復ビットパターン領域は、連続したデータの記録終了後に記録されるデータが、以前に記録されたデータと重畳されることを防止するために使用される。例えば、第１記録単位ブロック（ＲＵＢ１）のデータ記録が完了した後、第２記録単位ブロック（ＲＵＢ２）にデータを記録するとき、第１記録単位ブロック（ＲＵＢ１）のデータと第２記録単位ブロック（ＲＵＢ２）のデータとの間に連続性がない場合、反復ビットパターン領域には、記録単位ブロック（ＲＵＢ１，ＲＵＢ２）の各データが互いに重畳されないように、一定のビット数を有する同一のパターンが反復的に記録される。ＡＰＣ領域は、本発明の一実施例によってＦＰＤＯ信号の特性を検出するためのテストパターンを記録する領域である。
【００４９】
第１記録単位ブロック（ＲＵＢ１）の記録後に第２記録単位ブロック（ＲＵＢ２）の記録が行われると、参照符号５０２で示されたガード３領域（Ｇ３）の代わりに、第２記録単位ブロック（ＲＵＢ２）の終端に参照符号５０４で示されたガード３領域（Ｇ３）が割り当てられる。すなわち、第１記録単位ブロック（ＲＵＢ１）のデータ領域に記録される第１データ（ＤＡＴＡ１）と第２記録単位ブロック（ＲＵＢ２）のデータ領域に記録される第２データ（ＤＡＴＡ２）との間に連続性がない場合、第１記録単位ブロック（ＲＵＢ１）の終端に参照符号５０２で示されたガード３領域（Ｇ３）が割り当てられ、参照符号５０４で示されたガード３領域（Ｇ３）は割り当てられない。これと異なり、第１記録単位ブロック（ＲＵＢ１）のデータ領域に記録される第１データ（ＤＡＴＡ１）と第２記録単位ブロック（ＲＵＢ２）のデータ領域に記録される第２データ（ＤＡＴＡ２）との間に連続性がある場合、参照符号５０２で示されたガード３領域（Ｇ３）は割り当てられず、第２記録単位ブロック（ＲＵＢ２）の終端に参照符号５０４で示されたガード３領域（Ｇ３）が割り当てられる。
【００５０】
上述した実施例では、ラン−イン領域（ＲＵＮ−ＩＮ）内のガード１領域（Ｇ１）またはラン−アウト領域（ＲＵＮ−ＯＵＴ）内のガード３領域（Ｇ３）に設けられるＡＰＣ領域にテストパターンを記録し、テストパターンを記録する間に検出されるレーザーダイオード２１８の入出力特性を検出する。ここで、レーザーダイオード２１８の入力特性は、駆動電流のレベルを示し、レーザーダイオード２１８の出力特性は、出力されるレーザービームのパワーレベルであるか、光ディスクの表面から反射されるレーザービームを検出する光検出器であるフォトダイオード２１６によって検出したＦＰＤＯ信号の特性である。
【００５１】
図５において、第１記録単位ブロック（ＲＵＢ１）のデータ領域に記録される第１データ（ＤＡＴＡ１）と第２記録単位ブロック（ＲＵＢ２）のデータ領域に記録される第２データ（ＤＡＴＡ２）との間に連続性がある場合、参照符号５０２で示されたガード３領域（Ｇ３）は割り当てられず、第２記録単位ブロック（ＲＵＢ２）の先端に割り当てられるガード１領域（Ｇ１）にテストパターンを記録する。
【００５２】
記録可能な光ディスクにデータを記録するとき、目的とする大きさのマークを形成するために、データ記録時に用いられるレーザーのパワー、すなわち、記録パワーを最適化しなければならなく、記録パワーを最適化するために、ライトストラテジ及び最適パワー補正（Ｏｐｔｉｍｕｍ  Ｐｏｗｅｒ  ＣａｌｉｂｒａｔｉｏｎまたはＯｐｔｉｍｕｍ  Ｐｏｗｅｒ  Ｃｏｎｔｒｏｌ：以下、ＯＰＣという。）技術が使用される。
【００５３】
記録可能な光ディスクにデータを記録するとき、記録／再生品質を最適化するために、記録媒体の製造社や種類によって互いに異なるライトストラテジが適用される。記録媒体の製造社は、自社の記録媒体の記録パワーによる信号特性をデータベースに保存し、このデータベースを光ディスクドライブの製造社に提供することで、光ディスクドライブの設計及び生産時に参照できるようにする。このように、記録媒体の製造社及び種類に対応するライトストラテジは、光ディスクドライブの設計及び生産時に予め確保され、生産される光ディスクドライブのファームウェアに保存される。
【００５４】
記録可能な光ディスクにデータを記録するとき、光ディスクドライブは、ローディングされた光ディスクのＩＤを読み、光ディスクの製造社及び種類を確認し、それに該当するライトストラテジを選択することでデータを記録する。ローディングされた光ディスクが光ディスクドライブのファームウェアに記録されていない場合、デフォルトのライトストラテジを選択して使用する。デフォルトのライトストラテジは、媒体の種類によって一つずつ設定されている。
【００５５】
上述したように、本発明の一実施例に係るＡＰＣ領域がデータ領域と関係ないので、このＡＰＣ領域には、ＯＰＣ過程で選択されたライトストラテジだけでなく、他の形態のライトストラテジを使用してテストパターンを記録することができる。したがって、高速記録時にも、このＡＰＣ領域に任意のライトストラテジを用いてテストパターンを記録する場合、ピーク検出値４０８とボトム検出値４１０を検出するのに充分なレベル（振幅）を有するＦＰＤＯ信号を得ることができる。したがって、レーザーダイオード２１８の駆動電流とＦＰＤＯ信号を比較することで、温度変化によるレーザーダイオード２１８の特性劣化を検出することができ、その結果、駆動電流の変更を通して目的とするレベルを有するレーザーダイオード２１８の出力を発生させることができる。
【００５６】
図６は、本発明の一実施例に係る光ディスクドライブの制御方法を示したフローチャートである。図６に示すように、記録可能な光ディスク１００にデータを記録するために、まず、光ディスクドライブ１０２に記録可能な光ディスク１００をローディングしなければならず、この光ディスク１００にデータを記録するためのデータ記録命令が発生しなければならない（動作６０２）。データ記録命令が発生すると、ＯＰＣ過程を行い、ＯＰＣ記録パワーを決定する。また、ＡＰＣ目標値、すなわち、光ディスク１００に記録されるデータを正確に記録するために必要なレーザーダイオード２１８の駆動電流のレベルを決定する（動作６０４）。
【００５７】
このようにＯＰＣ記録パワーが決定されると、まず、ＯＰＣ記録パワーを開始記録パワーとして使用して、第１記録単位ブロック（ＲＵＢ１）のデータ領域（ＤＡＴＡ１）にデータを記録しはじめる（動作６０６）。第１記録単位ブロック（ＲＵＢ１）内のデータ記録が完了すると、ガード３領域（Ｇ３）を割り当てて、このガード３領域（Ｇ３）のＡＰＣ領域にテストパターンを記録する（動作６０８）。このガード３領域（Ｇ３）にテストパターンを記録しながら、フォトダイオード２１６によって発生するＦＰＤＯ信号からレーザーダイオード２１８の特性を検出する（動作６１０）。レーザーダイオード２１８の特性は、レーザーダイオード２１８に供給される電流による出力パワーのレベルを含む。
【００５８】
このようにレーザーダイオード２１８の特性が検出されると、検出された特性に基づいてレーザーダイオード２１８に供給される電流を調節することで、レーザーダイオード２１８の出力パワーが目的とするレベルを有するように制御する（動作６１２）。光ディスク１００に記録される他の記録単位ブロック（ＲＵＢ２）のデータが存在すると（動作６１４の“はい”）、動作６０６に復帰し、データ記録過程及びＡＰＣ領域のテストパターン記録過程を通してレーザーダイオードの特性検出を反復する。記録されるデータがこれ以上存在しない場合、データ記録を終了する（動作６１４の“いいえ”）。
【００５９】
本発明は、コンピュータ可読記録媒体上のコンピュータ可読コードとして具体化される。コンピュータ可読記録媒体は、以後にコンピュータシステムによって読まれるデータを保存可能な任意のデータ保存装置である。コンピュータ可読記録媒体の例は、ＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）、ＣＤ―ＲＯＭｓ、磁気テープ、フロッピー（登録商標）ディスク、光データ保存装置及び搬送波（インターネットを通したデータ伝送など）を含む。さらに、コンピュータ可読記録媒体は、コンピュータ可読コードが分散方法で保存及び実行されるように、ネットワーク結合されたコンピュータシステムを通して分散される。さらに、本発明を達成するための機能的なプログラム、コード及びコードセグメントは、本発明の属する技術に熟練したプログラマーによって容易に解釈される。図５に示した方法は、コンピュータが記録媒体のコンピュータ可読コードを読むときに行うように、コンピュータ可読コードの形態でコンピュータ記録媒体に保存される。
【図面の簡単な説明】
【００６０】
【図１】本発明の一実施例に係る光ディスクドライブを示したブロック図である。
【図２】図１に示した光ディスクドライブのＡＰＣブロックを示したブロック図である。
【図３】パラメーターとして温度を用いたレーザーダイオードの駆動電流と光出力との間の関係を示した図である。
【図４】光ディスクの高速記録時におけるライトストラテジ及びそのライトストラテジに対応する光検出信号を示した図である。
【図５】本発明の一実施例に係るデータ記録構造を示した図である。
【図６】本発明の一実施例に係る光ディスクドライブの制御方法を示したフローチャートである。
【符号の説明】
【００６１】
１００：光ディスク
１０２：光ディスクドライブ
１０４：ＲＦ増幅器
１０６：信号処理部
１０８：デコーダー
１１０：スピンドルモーター
１１２：線速度検出部
１１４：レーザーダイオード駆動部
１１６：サーボ制御部
１１８：制御部
１２０：メモリ
１２２：バッファ
１２４：ＡＴＡＰＩ
１２６：ＭＰＥＧ  ＣＯＤＥＣ
１２８：エンコーダー
１５６：レーザービーム
１５８：ピックアップモジュール
１６０：ＡＰＣ部
２０２：サンプル／ホールド制御部
２０４ａ：ピークパワー検出部
２０４ｂ：低域通過フィルター（ＬＰＦ）
２０６ａ：サンプル／ホールド部
２０６ｂ：低域通過フィルター（ＬＰＦ）
２０８ａ：サンプル／ホールド部
２０８ｂ：低域通過フィルター（ＬＰＦ）
２１０ａ：ボトムパワー検出部
２１０ｂ：低域通過フィルター（ＬＰＦ）
２１２：アナログ−デジタル変換器（ＡＤＣ）
２１４：ＰＤ増幅器
２１６：フォトダイオード
２１８：レーザーダイオード
４００：ライトストラテジ
４０２：ピークパワーレベル
４０４：消去パワーレベル
４０６：ボトムパワーレベル
４０８：ピーク検出値
４１０：ボトム検出値
４１２：ノイズ
６０２：光ディスクローディング及びデータ記録命令発生
６０４：ＯＰＣ遂行及びＡＰＣ目標値設定
６０６：記録単位ブロックのデータ記録
６０８：ＡＰＣ領域割り当て及びテストパターン記録
６１０：レーザーダイオードの特性検出
６１２：検出された特性に基づいてレーザーダイオード駆動電流制御
６１４：他の記録単位ブロックのデータ記録かどうか
【図１】
2009266357.tif 000003
【図２】
2009266357.tif 000004
【図３】
2009266357.tif 000005
【図４】
2009266357.tif 000006
【図５】
2009266357.tif 000007
【図６】
2009266357.tif 000008